(57)【要約】【課題】  容器本体内に収容した精密品を傷つけることなく容易に取り出すことができ、しかも蓋体の容器本体への着脱も容易かつ確実に行うことができ、安全に精密品を収容することができる容器を提供する。【解決手段】  底板部２の外周縁から周壁３が立ち上がり、上部が開口する容器本体１と、頂板部６の外周縁から周壁７が垂下し、下部が開口する蓋体５とよりなり、前記容器本体側周壁まわりに前記蓋体側周壁が嵌合して容器本体の開口上部が蓋体によって閉止される容器において、前記容器本体側周壁３に、上下方向に延びる切欠部４を少なくとも２箇所以上設けた。【選択図】  図１
2006341885.tif 000002
【特許請求の範囲】
【請求項１】
底板部の外周縁から周壁が立ち上がり、上部が開口する容器本体と、頂板部の外周縁から周壁が垂下し、下部が開口する蓋体とよりなり、前記容器本体側周壁まわりに前記蓋体側周壁が嵌合して容器本体の開口上部が蓋体によって閉止される容器において、前記容器本体側周壁に、上下方向に延びる切欠部を少なくとも２箇所以上設けてなる板状精密品の収容容器。
【請求項２】
前記蓋体側周壁は、上下方向に延びる２本のスリットにより前記周壁の他の部分と区画されるフラップ部を少なくとも２箇所以上有し、各フラップ部の下端に、内側へ向かう係止片部を設けてなる請求項１に記載の板状精密品の収容容器。
【請求項３】
前記容器本体の底板部と、前記蓋体の頂板部に、それぞれ互いに係合可能な凹凸部を設けてなる請求項１に記載の板状精密品の収容容器。
【発明の詳細な説明】
【技術分野】
【０００１】
本発明は半導体ウェハーや光学用ガラス板等の板状に形成された精密品を収容するための容器に関する。
【背景技術】
【０００２】
半導体ウェハーや光学用ガラス板等の板状に形成された精密品を、保管、運搬等のために使用する収容容器には、筒状に構成した容器本体に精密品を収容し、蓋体で容器本体の開口上部を閉止する構成のものが従来からある（例えば、特許文献１参照）。
【０００３】
図５は、多数枚の板状精密品を収容できるようにした容器の一例を示し、容器本体２１内に発泡性樹脂等よりなるクッション材２２を各精密品２３の間に介在せしめて収容し、蓋体２４で容器本体２１の開口上部を閉止するようになっており、蓋体２４における筒部２５の内側に形成した係合突条２６と、容器本体の筒部２７外周に形成した係合突条２８とを係合せしめることによって、容器本体２１に対して蓋体２４を着脱可能に取り付ける構成となっている。
【０００４】
したがって、容器本体内から精密品を取り出すのが容易ではなく、作業員や自動機にて精密品を取り出すのが困難であり、誤って傷を付けてしまうおそれがある。
また、容器本体と蓋体との係合は互いの係合用突条どうしを引っ掛けるだけの構成であるので、係合がゆるいと容器を搬送する際に蓋体が外れて精密品が脱落してしまうおそれがあり、逆に係合状態をきつくすると、蓋体を取り外のが困難となって蓋体の取り外しの際に容器を取り落としたり、精密品が脱落したりというようなおそれがある。
【特許文献１】実願平２−１２１６５号（実開平３−１０２７３８号）のマイクロフィルム（第１〜６頁、第１〜３図）
【発明の開示】
【発明が解決しようとする課題】
【０００５】
本発明は、容器本体内に収容した精密品を傷つけることなく容易に取り出すことができ、しかも蓋体の容器本体への着脱も容易かつ確実に行うことができ、安全に精密品を収容することができる容器を提供することを目的としている。
【課題を解決するための手段】
【０００６】
上記課題を解決するために、本発明の請求項１に係る容器は、底板部の外周縁から周壁が立ち上がり、上部が開口する容器本体と、頂板部の外周縁から周壁が垂下し、下部が開口する蓋体とよりなり、前記容器本体側周壁まわりに前記蓋体側周壁が嵌合して容器本体の開口上部が蓋体によって閉止される容器において、前記容器本体側周壁に、上下方向に延びる切欠部を少なくとも２箇所以上設けてなる構成のものとしてある。
【０００７】
本発明の請求項２に係る容器は、前記蓋体側周壁を、上下方向に延びる２本のスリットにより前記周壁の他の部分と区画されるフラップ部を少なくとも２箇所以上有し、各フラップ部の下端に、内側へ向かう係止片部を設けてなる構成のものとしてある。
【０００８】
本発明の請求項３に係る容器は、前記容器本体の底板部と、前記蓋体の頂板部に、それぞれ互いに係合可能な凹凸部を設けた構成のものとしてある。
【発明の効果】
【０００９】
本発明によれば、容器本体の周壁に上下方向に延びる２箇所以上の切欠部を設けてあるので、容器本体の外部からこれら切欠部によって容器本体内に収容される精密品の外周縁部にアクセスすることができ、したがって精密品の取り出しを安全確実かつ容易に行うことができる。
【００１０】
また、容器本体に蓋体を取り付けると、蓋体に設けたフラップ部の係止片部が容器本体の底面周辺部に係合し、蓋体を容器本体に対して確実に取り付けることができ、しかも蓋体を容器本体から取り外す際にはフラップ部を外側に引っ張れば蓋体と容器本体の係合が簡単に解除でき、したがって蓋体の取り付け、取り外しの際に収容物たる精密品が脱落してしまうようなおそれがまずなく、精密品を安全に収容することができる。
【発明を実施するための最良の形態】
【００１１】
以下、本発明に係る収容容器の実施例を添付図面に示す具体例に基づいて詳細に説明する。
容器本体１は、底板部２の外周縁から周壁３が立ち上がり、上部が開口する円筒状に形
成されたものとしてあって、上記周壁３には上下方向に延びる切欠部４、４を設けてある。
【００１２】
上記切欠部４、４は、本実施例では容器本体の中心軸を挟んで２箇所設けてあるが、３箇所以上設ける場合には円周方向に等間隔となるように設けるのが好ましく、また切欠部の幅は、作業員の指や自動機の爪が十分に入る幅に設定する。
【００１３】
そして蓋体５は、頂板部６の外周縁から周壁７が垂下し、下部が開口する円筒状に形成されたものとしてあって、蓋体の周壁７は前記容器本体側周壁３まわりに所要の公差をあけて嵌合する寸法のものとしてある。
【００１４】
前記蓋体側の周壁７には、上下方向に延びる２本のスリット８、８により、前記周壁の他の部分と区画されるフラップ部９、９を２箇所設けてあり、各フラップ部９の下端に、内側へ向かう係止片部１０をそれぞれ設けてある。
【００１５】
上記フラップ部９、９は、蓋体を構成する素材自体の弾性によって外側へ撓むように構成してあって、蓋体の材質がある程度の硬質なものである場合には、フラップ全体またはフラップの基部を薄肉に形成して、フラップの下部が少なくとも前記係止片部１０の内方への突出長さ以上に撓むようにしておく。
【００１６】
また、容器本体１の前記底板部２と、前記蓋体５の頂板部６には、それぞれ互いに係合可能な凹凸部を設けてあり、具体的には、前記底板部２に周壁３と同心をなす円形の中央凸部１１と、円周状の外周凸部１２を設けてあり、前記頂板部６に周壁７と同心をなす円周状の凸部１３を設けてある。
【００１７】
そして、複数の容器を上下に積み重ねると、図４に示されるように下方の容器１４の頂板部６における円周状凸部１３が、上方の容器１５の底板部２における中央凸部１１と外周凸部１２の間の凹部１６に嵌入して、上下の容器１５、１４が安定よろしく積み重ねられる。
【００１８】
なお、容器どうしを積み重ねた状態において、上方の容器１５の底板部２における外周凸部１２まわりには下方の容器１４の頂板部６との間に隙間１７ができるように構成されていて、前記蓋体のフラップにおける係止片部１０がこの隙間１７に収まるように形成されている。
【００１９】
容器内においては、板状の精密品１８、１８が間にクッション材１９、１９を挟んで積み重ねて収容され、精密品どうしや容器本体１の内底や蓋体５の頂板部内面と接触して傷が付かないようにしてあり、必要に応じて精密品の外周縁部と容器本体側周壁３の内面との間にもクッション材を設ける場合がある。
【００２０】
上述した実施例においては、容器本体１および蓋体５を円筒状のもので構成してあるが、これら容器本体および蓋体の平面形状は内部に収容される被収容品の外形と略相似に形成され、非収容品の形状によっては角筒状等の他の形状のものとする場合もある。
【図面の簡単な説明】
【００２１】
【図１】本発明に係る容器の実施例の一部を破断して示す正面図。
【図２】本発明に係る容器の実施例を示す平面図。
【図３】本発明に係る容器の実施例を示す側面図。
【図４】本発明に係る容器の使用状態を一部破断して示す正面図。
【図５】従来の容器の一例を示す断面図。
【符号の説明】
【００２２】
１  容器本体
２  底板部
３  容器本体側の周壁
４  切欠部
５  蓋体
６  頂板部
７  蓋体側の周壁
８  スリット
９  フラップ部
１０  係止片部
１１  中央凸部
１２  外周凸部
１３  円周状凸部
１４  下方の容器
１５  上方の容器
１６  凹部
１７  隙間
１８  精密品
１９  クッション材
【図１】
2006341885.tif 000003
【図２】
2006341885.tif 000004
【図３】
2006341885.tif 000005
【図４】
2006341885.tif 000006
【図５】
2006341885.tif 000007